(57)【要約】【課題】  開口部からビードが露見しない開口部装置及び戸体表面に雨だれによる汚れを生じない開口部装置を提供する。【解決手段】  枠体１と、この枠体１内に開閉自在に配置される戸体２とを備え、この戸体２は、室内側表面材１７と、室外側表面材７と、これらの表面材間に配置される板ガラス１５とを備え、少なくとも室外側表面材７に、板ガラス１５が露出するガラス開口部６を形成し、このガラス開口部６の側縁部を見込み方向へ折曲げる折曲げ部４５を設け、この折曲げ部４５の内側にビード保持部１２Ｄを形成し、このビード保持部１２Ｄに、板ガラス１５と当接するビード２０を設けたことを特徴とする。【選択図】      図３
2005048484.tif 000002
【特許請求の範囲】
【請求項１】
枠体と、この枠体内に開閉自在に配置される戸体とを備え、
この戸体は、室内側表面材と、室外側表面材と、これらの表面材間に配置される板ガラスとを備え、少なくとも室外側表面材に、板ガラスが露出するガラス開口部を形成し、このガラス開口部の側縁部を見込み方向へ折曲げる折曲げ部を設け、この折曲げ部の内側にビード保持部を形成し、このビード保持部に、板ガラスと当接するビードを設けたことを特徴とする開口部装置。
【請求項２】
枠体と、この枠体内に開閉自在に配置される戸体とを備え、
この戸体は、室内側表面材と、室外側表面材と、これらの表面材間に配置される板ガラスとを備え、少なくとも室外側表面材に、板ガラスが露出するガラス開口部を形成し、室外側表面材のガラス開口部の下縁に化粧板を配置し、この化粧板と室外側表面材との間に、排水経路を設けたことを特徴とする開口部装置。
【発明の詳細な説明】
【技術分野】
【０００１】
本発明は、枠体内に戸体を備えた開口部装置に関する。
【背景技術】
【０００２】
一般に、住宅の出入口に配置される開口部装置として、室内への採光のため、あるいは装飾のために、この開口部装置の戸体に開口部を形成して、この開口部に板ガラスを配置しているものが知られている（例えば、特許文献１参照）。この種のものでは、開口部と板ガラスとの隙間を塞ぐために、開口部の周縁にビードが配置され、この開口部と板ガラスとの隙間から室内に雨水などが浸入することを防止している。
【特許文献１】特開平８−３５３７６号公報
【発明の開示】
【発明が解決しようとする課題】
【０００３】
しかし、開口部の周縁にビードを配置した場合、板ガラスとともにビードが、開口部から露見することとなるため、開口部装置の装飾的観点からは好ましくなかった。また、戸体の内部に雨水が浸入した場合には、この雨水を戸体の外部に排出する必要があるが、従来は、開口部の周囲に配置された額縁に設けた排水孔から排出されていたために、この排水孔よりも下方の戸体表面には雨だれによる汚れが生じ、外観的に好ましくなかった。
【０００４】
そこで、本発明の目的は、上述した従来の技術が有する課題を解消し、開口部からビードが露見しない開口部装置及び戸体表面に雨だれによる汚れを生じない開口部装置を提供することにある。
【課題を解決するための手段】
【０００５】
本発明は、枠体と、この枠体内に開閉自在に配置される戸体とを備え、この戸体は、室内側表面材と、室外側表面材と、これらの表面材間に配置される板ガラスとを備え、少なくとも室外側表面材に、板ガラスが露出するガラス開口部を形成し、このガラス開口部の側縁部を見込み方向へ折曲げる折曲げ部を設け、この折曲げ部の内側にビード保持部を形成し、このビード保持部に、板ガラスと当接するビードを設けたことを特徴とする。
【０００６】
また、本発明は、枠体と、この枠体内に開閉自在に配置される戸体とを備え、この戸体は、室内側表面材と、室外側表面材と、これらの表面材間に配置される板ガラスとを備え、少なくとも室外側表面材に、板ガラスが露出するガラス開口部を形成し、室外側表面材のガラス開口部の下縁に化粧板を配置し、この化粧板と室外側表面材との間に、排水経路を設けたことを特徴とする。
【発明の効果】
【０００７】
本発明では、ガラス開口部の側縁部を見込み方向に折曲げる折曲げ部を設け、この折曲げ部の内側にビードを配置したことにより、ガラス開口部からビードが露見することを防止できる。また、本発明では、化粧板と室外側表面材との間に、排水経路を設けたことにより、戸体表面に雨だれによる汚れを生じることを防止できる。
【発明を実施するための最良の形態】
【０００８】
以下、添付図面を参照して本発明の一実施の形態について説明する。本実施形態にかかる開口部装置は、住宅の出入口に配置されるもの（例えば、玄関ドア）である。
【０００９】
図１は、開口部装置を室外側から見た図（正面図）である。この開口部装置は、建物の躯体（図示省略）に取り付けられる四方囲いの枠体１と、戸体２とを備え、この戸体２はヒンジ３を介して開閉可能に枠体１に支持されている。図２は、戸体２を室内側から見た図（背面図）である。戸体２は、図１に示すように、室外側において、室外側ハンドル４と、鉛直方向に細長く形成された複数（例えば、３箇所）の室外側開口部３２とを備え、各室外側開口部３２の鉛直方向の延長線上には、複数（例えば、３箇所）の化粧板（斜線で示す）３４が配置されている。これらの室外側開口部３２同士の間隔は、ほぼ等しく設定されている。また、室内側において、この戸体２は、図２に示すように、室内側ハンドル５と、戸体２の略中央に大きく開いた、室内側開口部１４とを備え、この室内側開口部１４の周囲には化粧材２８が配置されている。これらの室外側開口部３２と室内側開口部１４との間には、板ガラス１５が配置されている。
【００１０】
図３は、戸体２の横断面図であり、図４は、戸体２の縦断面図である。この戸体２は、図３及び図４に示すように、鋼板製の室外側表面材７と鋼板製の室内側表面材１７とを有し、これらの表面材の間に、アルミニウム製のガラスフレーム９、アルミニウム製の芯材１１、断熱材（例えば、ＥＰＳ：Expanded Poly-Styrene）１３及び板ガラス１５を備えている。すなわち、この戸体２の上下左右には、芯材１１が設けられ、この芯材１１の内周側には断熱材１３が詰められており、この断熱材１３の内周側にはガラスフレーム９が配置され、このガラスフレーム９の室内側には板ガラス１５が配置されている。この板ガラス１５とガラスフレーム９との接触部分には、ゴム状のビード２０が周回して取り付けられている。また、板ガラス１５は、化粧材２８により固定され、この化粧材２８は、ガラスフレーム９に、ねじ２４で固定されている。このねじ２４は、ねじカバー２６で覆われ、ねじ２４の頭部が室内側に露出しないように構成されている。この化粧材２８と板ガラス１５との接触部分には、ゴム状のビード３０が周回して取り付けられている。
【００１１】
図５は、戸体２の分解斜視図である。この戸体２は、図５に示すように、室外側表面材７とガラスフレーム９と断熱材１３と、この断熱材１３の上下左右に配置されるアルミニウム製の芯材１１と、板ガラス１５と、室内側表面材１７とを備えて形成されている。
【００１２】
室外側表面材７は、鋼板の四辺を室内側に折り曲げた曲げ部７ａと、長手方向に延びた３箇所のガラス開口部６とを備えている。ガラスフレーム９は、アルミニウム製の枠材１２で四方を囲み、その内部の長手方向にアルミニウム製の中桟１０を組み、その中桟１０と枠材１２とで形成されるフレーム開口部８を備えている。室内側表面材１７は、鋼板の四辺を室外側に折り曲げた曲げ部１７ａと、大きく開口された室内側ガラス開口部１８を備えている。室外側表面材７の裏面（室内側）には、ほぼ全域に接着剤を塗布し、この室外側表面材７の裏面にガラスフレーム９を嵌め込み、そのガラスフレーム９の外側に断熱材１３を配置し、その断熱材１３の外側に芯材１１を配置し、その上に、裏面（室外側）のほぼ全域に接着剤を塗布した室内側表面材１７を載せる。このように組み立てた後、加熱しながらプレス加工をして戸体２を製造する。
【００１３】
この場合、戸体２の上下及び左側に位置する芯材１１の外周側には、図３及び図４に示すように、樹脂カバー１６が設けられ、この樹脂カバー１６には、室外側表面材７の曲げ部７ａと、室内側表面材１７の曲げ部１７ａとが挟み込まれている。また、戸体２の右側に位置する芯材１１の外周側には戸先部材１９が設けられ、この戸先部材１９には、室外側表面材７の曲げ部７ａと、室内側表面材１７の曲げ部１７ａとが挟み込まれている。
【００１４】
次に、戸体２の室外側開口部３２の周縁に設けられるビード２０について説明する。室外側表面材７には、プレス抜き加工などでガラス開口部６が形成され、図３に示すように、このガラス開口部６の側縁部を見込み方向へ折曲げる第一折曲げ部４５が設けられ、さらに、この第一折曲げ部４５の先端部を、第一折曲げ部４５の内側に折曲げる第二折曲げ部４６が設けられる。ここで見込み方向とは、図中矢印Ｘで示す方向をいう。
【００１５】
ガラスフレーム９を構成する側部の枠材１２は、図３に示すように、中空の枠部１２Ａと、この枠部１２Ａの室外側の面を室外側表面材７に沿って延出する延出部１２Ｂと、この延出部１２Ｂを室内側に開く袴状に曲げた、曲げ部１２Ｃとを備える。また、中桟１０は、中空の枠部１０Ａと、この枠部１０Ａの室外側の面を室外側表面材７に沿って延出する延出部１０Ｂと、この延出部１０Ｂを室内側に開く袴状に曲げた曲げ部１０Ｃとを備える。枠材１２が備える曲げ部１２Ｃの内側には、この曲げ部１２Ｃの途中から延出部１２Ｂに平行に伸び、その先端を見込み方向へ曲げたビード保持部１２Ｄを備え、このビード保持部１２Ｄには、板ガラス１５と当接するビード２０が配置されている。
【００１６】
また、ガラスフレーム９を構成する天部及び底部の枠材１２は、図４に示すように、中空の枠部１２Ａと、この枠部１２Ａの室外側の面を室外側表面材７に沿って延出する延出部１２Ｂと、この延出部１２Ｂの先端を見込み方向へ折り曲げる先端曲げ部１２Ｅとを備える。また、この延出部１２Ｂは、この延出部１２Ｂの途中から見込み方向へ伸びるビード保持部１２Ｄを備え、このビード保持部１２Ｄにビード２０が配置されている。ここで、見込み方向とは、図中矢印Ｘで示す方向をいう。
【００１７】
この室外側表面材７と、ガラスフレーム９とを組み合わせた場合、室外側開口部３２の周縁に配置されるビード２０は、室外側表面材７の第一折曲げ部４５の内側、もしくは、ガラスフレーム９の先端曲げ部１２Ｅの内側に配置されるため、室外側開口部３２からビード２０が露見することはなく、開口部装置の美観が向上する。
【００１８】
なお、室外側表面材７に第二折曲げ部４６を設ける構成としたから、この室外側表面材７の第二折曲げ部４６とガラスフレームの曲げ部１２Ｃとが係合して、室外側表面材７とガラスフレーム９とを嵌合させることができるとともに、室外側開口部３２に、室外側表面材７の切断面が露出しないので、誤ってけがをすることが防止される。
【００１９】
次に、戸体２の排水手段について図４を参照して説明する。
【００２０】
室外側開口部３２の鉛直下方に配置されたガラスフレーム９の枠材１２には、ビード保持部１２Ｄ、先端曲げ部１２Ｅ、延出部１２Ｂ等が設けられ、これらの各部材と板ガラス１５とによって、枠材１２には各種の空間が形成されている。すなわち、先端曲げ部１２Ｅ、ビード保持部１２Ｄ、延出部１２Ｂ及び板ガラス１５によって空間が形成されている。この空間をポケット３３という。また、ビード保持部１２Ｄ、延出部１２Ｂ、枠部１２Ａ及び板ガラスによっても空間が形成されている。この空間を第一空間３５という。また、枠部１２Ａの内部の空間を第二空間３７という。これらの第一空間３５及び第二空間３７とを仕切る枠部１２Ａの面４２には、第一開口３６Ａが設けられ、枠部１２Ａの室外側の面４３及びこの面４３に当接する室外側表面材７には、枠部１２Ａ及び室外側表面材７を貫通する、第二開口３６Ｂが設けられている。
【００２１】
また、戸体２は、上述したように、室外側開口部３２の鉛直方向における延長線上に、化粧板３４を備えている。すなわち、戸体２は、図４に示すように、室外側開口部３２の上縁及び下縁に、化粧板３４を備える。
【００２２】
化粧板３４は、この化粧板３４の一端を見込み方向へ折曲げる第一折曲げ部３４Ａと、この第一折曲げ部３４Ａの先端部を第一折曲げ部３４Ａの内側に折曲げる第二折曲げ部３４Ｂとを備える。また、化粧板３４は、この化粧板３４の他端を見込み方向へ折曲げる第三折曲げ部３４Ｃと、この第三折曲げ部３４Ｃの先端部を第三折曲げ部３４Ｃの外側に折り曲げる第四折り曲げ部３４Ｄと、さらに、この第四折曲げ部３４Ｄの先端部を見込み方向へ折曲げる第五折曲げ部３４Ｅとを備える。この第三折曲げ部３４Ｄには、排水用開口４０が設けられ、第五折曲げ部３４Ｅには、リベット固定用の孔４１が設けられている。なお、排水用開口４０は、室外側開口部３２の下縁に配置される化粧板３４にのみ設けられている。
【００２３】
この化粧板３４を、室外側開口部３２の下縁に配置した場合には、化粧板３４の第二折曲げ部３４Ｂが、ガラスフレーム９の先端曲げ部１２Ｅと板ガラス１５との隙間δに挿入され、この先端曲げ部１２Ｅの上面に化粧板３４の第一折曲げ部３４Ａが当接するとともに、化粧板３４の第五折曲げ部３４Ｅが、戸体２の底部で、室外側表面材７の曲げ部７ａとリベット４２によって固定される。これにより、化粧板３４と室外側表面材７との間には、隙間が形成され、この隙間が排水経路（以下、排水溝という）４４を形成する。
【００２４】
戸体２に雨水などがかかる場合、この雨水は、室外側開口部３２における、板ガラス１５とガラスフレーム９の先端曲げ部１２Ｅとの隙間δを通じてポケット３３に浸入する。このポケット３３内に浸入した雨水は、先端曲げ部１２Ｅの内側に設けたビード保持部１２Ｄに配置されたビード２０で封止されている。しかし、その封止は完全ではなく、漏出した雨水はビード２０を介して第一空間３５に浸入する。ここに浸入した雨水は、ガラスフレーム９の第一開口３６Ａを通じて第二空間３７に浸入し、ここに浸入した雨水は、ガラスフレーム９及び室外側表面材７の第二開口３６Ｂを通じて、化粧板３４と室外側表面材７との隙間によって形成された排水溝４４を流れ、排水用開口４０を通じて外部に排水される。これによると、排水された雨水が化粧板３４の内側を流れることにより、雨水中のごみ等による、室外側表面材７の汚れを防止できる。
【００２５】
本実施形態によれば、室外側表面材７を見込み方向に折曲げた第一折曲げ部４５の内側にビード２０を保持するビード保持部１２Ｄを設けているため、戸体２の室外側開口部３２からは隠れた位置にビードが配置される。このため、外観上、室外側開口部３２からビードが見えないので、開口部装置の美観が向上する。また、室外側開口部３２の下縁に化粧板３４を配置し、この化粧板３４と室外側表面材７との間に排水溝４４を形成して排水するため、室外側表面材７の表面に生じる雨だれによる汚れを防止することができる。
【００２６】
上記実施形態では、ガラスフレーム９はアルミニウム製であるが、アルミニウム製以外のスチール製、又は樹脂製でもよい。また、ガラスフレーム９のフレーム開口部８、及び室外側表面材７のガラス開口部６は３箇所設けているが、ガラス開口部６、及びフレーム開口部８は３箇所でなくてもよい。ガラスフレーム９の曲げ部１０Ｃは、室内側に開く袴状に形成されているが、室内側に広がっていなくても、室外側表面材７の第一折曲げ部４５と室外側表面材７の第二折曲げ部４６との内側にガラスフレーム９の曲げ部１０Ｃが嵌り、室外側表面材７にガラスフレーム９が固定されればよい。室外側表面材７はガラス開口部６の長手方向（縦方向）のみで、折り曲げを行っているが、短手方向（横方向）で折り曲げを行ってもよい。また、ガラスフレーム９に、ビード保持部１２Ｄを設けているが、室外側表面材７の第一折曲げ部４５の内側に配置されるのであれば、室外側表面材７にビード保持部を設けてもよい。
【００２７】
上述した実施形態は、あくまでも本発明の一態様にすぎず、本発明の範囲内で任意に変形可能である。
【図面の簡単な説明】
【００２８】
【図１】本発明にかかる開口部装置の一実施形態を示す正面図である。
【図２】本実施形態における戸体の背面図である。
【図３】本実施形態における戸体の横断面図である。
【図４】本実施形態における戸体の縦断面図である。
【図５】本実施形態における戸体の分解斜視図である。
【符号の説明】
【００２９】
１  枠体
２  戸体
６  ガラス開口部
７  室外側表面材
９  ガラスフレーム
１２Ｄ  ビード保持部
１３  断熱材
１５  板ガラス
１７  室内側表面材
２０  ビード
３４  化粧板
４０  排水用開口
４４  排水溝
４５  室外側表面材の第一折曲げ部
４６  室外側表面材の第二折曲げ部
【図１】
2005048484.tif 000003
【図２】
2005048484.tif 000004
【図３】
2005048484.tif 000005
【図４】
2005048484.tif 000006
【図５】
2005048484.tif 000007